(57)【要約】【課題】パチンコ台の固定、取り外しおよび角度調整を、ねじ類の締め・緩め操作を要さず自動的に行なうことができるパチンコ台取付け装置を提供する。【解決手段】島側にパチンコ台を取付けるための下部ユニットと上部ユニットを備え、下部ユニットが、島側に据付けられるブラケット部体と、これに装備されパチンコ台の木枠に対する固定用部分を有するクランプ部体と、前記クランプ部体を作動するアクチュエータを含む駆動機構を備え、上部ユニットが、島側に据付けられるブラケット部体と、該ブラケット部体に前後移動可能に保持されたスライド部体と、パチンコ台の木枠に対する固定用部分を有し前記スライド部体に搭載されたクランプ部体と、前記クランプ部体を作動するためのアクチュエータを含む駆動機構と、前記ブラケット部体に搭載されスライドを作動するための第２のアクチュエータを含む駆動機構を備えている。【選択図】図２
2006192159.tif 000002
【特許請求の範囲】
【請求項１】
島側にパチンコ台を取付けるための下部ユニットと上部ユニットを備え、下部ユニットが、島側に据付けられるブラケット部体と、これに装備されパチンコ台の木枠に対する固定用部分を有するクランプ部体と、前記クランプ部体を作動するアクチュエータを含む駆動機構を備え、上部ユニットが、島側に据付けられるブラケット部体と、該ブラケット部体に対し前後移動可能なスライド部体と、パチンコ台の木枠に対する固定用部分を有し前記スライド部体に搭載されたクランプ部体と、前記クランプ部体を作動するための第１のアクチュエータを含む駆動機構と、前記ブラケット部体に搭載され前記スライド部体を作動するための第２のアクチュエータを含む駆動機構を備えていることを特徴とするパチンコ台の取付け装置。
【請求項２】
上部ユニットの近傍の島側に、前記各アクチュエータの駆動を制御するためのコントローラを有していることを特徴とする請求項１に記載のパチンコ台の取付け装置。
【請求項３】
下部ユニットのアクチュエータがモータからなり、駆動機構が、モータの回転により並進する移動シャフトと、これに直交し両端部がブラケット部体の両側部に設けたガイド溝を貫通して前記クランプ部体の両側部に設けられた傾斜状ガイド溝に嵌る開閉用シャフトを備えていることを特徴とする請求項１または２に記載のパチンコ台の取付け装置。
【請求項４】
上部ユニットの第１のアクチュエータがモータからなり、駆動機構が、モータの回転により並進する移動シャフトと、これに直交し両端部がスライド部体の両側部に設けたガイド溝を貫通してクランプ部体の両側部に設けられた傾斜状ガイド溝に嵌る開閉用シャフトを備えていることを特徴とする請求項１または２に記載のパチンコ台の取付け装置。
【請求項５】
上部ユニットの第２のアクチュエータがモータからなり、駆動機構が、ブラケット部体に一端を枢支された前後送り部体と、モータの回転により並進する移動シャフトと、該移動シャフトと直交し、ブラケット部体の両側部のガイド溝を通して前記前後送り部体とスライド部体を連結する軸を備えていることを特徴とする請求項１または２に記載のパチンコ台の取付け装置。
【請求項６】
上部ユニットの第２のアクチュエータがモータからなり、前後用駆動機構が、ブラケット部体に一端を枢支され他端がスライド部体に連結された前後送り部体と、モータの回転により並進する移動シャフトと、該移動シャフトと直交し、ブラケット部体の両側部のガイド溝を通して前記前後送り部体の傾斜状ガイド溝にいたるシャフトを備えていることを特徴とする請求項１または２に記載のパチンコ台の取付け装置。
【発明の詳細な説明】
【技術分野】
【０００１】
本発明はパチンコ台を島側に自動的に取付ける装置に関する。
【背景技術】
【０００２】
遊技場においては、店内に「島」と称する枠状物を設置しておき、これにパチンコ台を取付ける。かかるパチンコ台の島側への取付け方法として、従来では、パチンコ台メーカーから出荷されたパチンコ台本体と木枠がアッセンブリーされたものを、一旦本体と木枠に分離し、木枠のみを島側にネジ又は釘により上下を固定し、その際におおむね垂直になる様に傾斜角度を調節し、その後、木枠に本体を取付けるものであった。
【０００３】
このため、下記の様な問題があった。
１）取付け作業時間のロス
パチンコ台を本体と木枠に分離する労力が必要であるうえ、木枠を島側にはめ込み、まず木枠の下側を木ネジ・釘等で固定し、木枠側面に傾斜器をあてがい、おおむね垂直になる様に見定めながら木枠の傾斜角度を微調整し、上側を木ネジ又は釘で固定する手順の作業となる。その際に、傾斜器をあてがいながらの固定となるため、作業がやりづらく、垂直から微妙にずれてしまう場合もあり、その場合は一旦固定した木ネジ又は釘をはずしてやり直す必要がある。そして、再び木枠金具部分と本体の金具部分を接合させることが必要であり、したがって、一台当たりの設置に時間と手間を要し、多数台の入れ替えにおいては多大な時間と多大なコストが掛かっていた。
【０００４】
２）傾斜角度の精度のずれ
パチンコ台の入れ替えにおいては、同一機種を複数台取付けする場合がほとんどであり、前記のように手作業でしかも傾斜器をあてがいながら電動ドリル等による木ネジでの固定、又はハンマー等による釘での固定となるため、一台一台傾斜角度に多少の誤差が生じやすい。なおかつ。重量の軽い木枠に対して重量の重い本体を接合する為、取付け後の誤差はさらに生じやすい。このため、出玉管理上、支障をきたす恐れがあった。
【０００５】
この対策として、木枠と本体を分解することなく島側へ取付けを可能にする提案がなされている。しかし、先行技術は、ねじを緩めたり締め付けたりする煩雑な操作を必要とし、また、傾斜角度の調整作業もねじの緩めと締付けを要するので、いまだ手間と時間がかかる問題があった。
【特許文献１】特許番号第２９１９３４９号公報
【発明の開示】
【発明が解決しようとする課題】
【０００６】
本発明は前記のような問題点を解消するためになされたもので、その目的とするところは、パチンコ台の固定、取り外しおよび角度調整を、ねじ類の締め・緩め操作を要さず自動的に行なうことができる比較的コンパクトなパチンコ台取付け装置を提供することにある。
【課題を解決するための手段】
【０００７】
上記目的を達成するため本発明は、島側にパチンコ台を取付けるための下部ユニットと上部ユニットを備え、下部ユニットが、島側に据付けられるブラケット部体と、これに装備されパチンコ台の木枠に対する固定用部分を有するクランプ部体と、前記クランプ部体を作動するアクチュエータを含む駆動機構を備え、上部ユニットが、島側に据付けられるブラケット部体と、該ブラケット部体に対し前後移動可能なスライド部体と、パチンコ台の木枠に対する固定用部分を有し前記スライド部体に搭載されたクランプ部体と、前記クランプ部体を作動するためのアクチュエータを含む駆動機構と、前記ブラケット部体に搭載され前記スライド部体を作動するための第２のアクチュエータを含む駆動機構を備えていることを特徴としている。
【発明の効果】
【０００８】
下部ユニットと上部ユニットをあらかじめ島側に設置しておき、下部ユニットのアクチュエータを駆動させることでクランプ部体が作動して下側木枠が自動的に固定される。また、上部ユニットの第１のアクチュエータを駆動させることでクランプ部体が作動して上側木枠が自動的に固定される。したがって、本体と木枠の分離の必要がなく、一体化された状態で島側に簡易、迅速にはめ込み固定することができる。
そして、第２のアクチュエータを駆動することにより、木枠を固定したままスライド部体が前進または後退するので、パチンコ台を遊技できる状態にしたまま、簡単、迅速に垂直状に調整できる。したがって、複数台のパチンコ台の取付けにおいても、労力を要さず短時間で傾斜角度が全て均一に揃った状態に固定することが可能となる。  
【発明を実施するための最良の形態】
【０００９】
好適には、上部ユニットの近傍の島側に、前記各アクチュエータと電気的に接続して駆動を制御するためのコントローラを有している。
これによれば、下部ユニットと上部ユニットによるパチンコ台の固定、取り外しおよび角度調整をパチンコ台列の前面側からの遠隔操作で行なえるので、きわめて簡易迅速に作業を行なうことができる。
【００１０】
好適には、下部ユニットのアクチュエータがモータからなり、駆動機構が、モータの回転により並進する移動シャフトと、これに直交し両端部がブラケット部体の両側部に設けたガイド溝を貫通して前記クランプ部体の両側部に設けられた傾斜状ガイド溝に嵌る開閉用シャフトを備えている。
これによれば、モータを正転することにより移動シャフトが並進すると、開閉用シャフトがガイド溝に沿って前方に移動するため、前記クランプ部体が作動し、の固定用部分で木枠がしっかりと固定される。
木枠を取り外すときには、モータを逆転させれば開閉用シャフトがガイド穴に沿って後方に移動するため、クランプ部体が逆動し固定用部分が木枠から離間する。したがって、簡単な構造でしかもねじ類の手動による回動操作を何ら要さずに固定と取り外しを行なえる。
【００１１】
好適には、上部ユニットの第１のアクチュエータがモータからなり、駆動機構が、モータの回転により並進する移動シャフトと、これに直交し両端部がスライド部体の両側部に設けたガイド溝を貫通してクランプ部体の両側部に設けられた傾斜状ガイド溝に嵌る開閉用シャフトを備えている。
これによれば、第１のモータを駆動したときにはスライド部体は前後に動かず、下部ユニットと同じように、開閉用シャフトがガイド溝に沿って前方に移動するため、クランプ部体が作動し、固定用部分が木枠をくわえ込むのでしっかりと固定される。木枠を取り外すときにはモータを逆転させれば開閉用シャフトがガイド溝に沿って後方に移動するため、クランプ部体が基端を支点として逆動し固定用部分が木枠から離間する。したがって、簡単な構造でしかもねじ類の手動による回動操作を何ら要さずに固定と取り外しを行なえる。
【００１２】
好適には、上部ユニットの第２のアクチュエータがモータからなり、駆動機構が、ブラケット部体に一端を枢支された前後送り部体と、モータの回転により並進する移動シャフトと、該移動シャフトと直交し、ブラケット部体の両側部のガイド溝を通して前記前後送り部体とスライド部体を連結する軸を備えている。
あるいは、上部ユニットの第２のアクチュエータがモータからなり、前後用駆動機構が、ブラケット部体に一端を枢支され他端がスライド部体に連結された前後送り部体と、モータの回転により並進する移動シャフトと、該移動シャフトと直交し、ブラケット部体の両側部のガイド溝を通して前記前後送り部体の傾斜状ガイド溝にいたるシャフトを備えている。
これらによれば、移動シャフトの並進運動により前後送り部体が上部の基端を支点として傾動する。これにより、スライド部体がクランプ部体を搭載したまま前方に押し出される。これにより、木枠はクランプ部体により固定状態を保たれながら前方に移動するので、パチンコ台の全体が傾斜する。モータを逆転させれば、前述の逆の動作をし、木枠はクランプ部体で固定された状態に保たれながら後方に傾斜する。したがって、ねじ類の手動による回動操作を何ら要さずに木枠と本体を所望の角度に調整することができる。
【実施例１】
【００１３】
以下添付図面を参照して本発明の実施例を説明する。
図１ないし図９は本発明によるパチンコ台の取付け装置の第１実施例を示している。
図１と図２は全体を示しており、１はパチンコ台で、本体１Ａとこれを囲み一部がヒンジ機構で本体１Ａと結ばれた矩形状の木枠１Ｂである。３は島と称する裏側の枠状構造物で、通常、パチンコ台１を１５〜３０台程度取付けるようになっている。
４，４はパチンコ台取付け用の下部ユニットであり、島３の下横材３０の左右に複数個配置されている。５，５はパチンコ台取付け用の上部ユニットであり、島３の上横材３１の左右に複数個配置されている。２は島３の上部に設けた開閉自在な開口部位に配置されたコントローラ（コントロールボックス）、２Ａはこのコントローラ２に信号を送る遠隔操作器（リモコン）である。
【００１４】
前記下部ユニット４，４は、図３と４に示されているように、島３の下横材３０に据付け固定されるブラケット部体（フレーム）６と、クランプ部体７と、前記クランプ部体７を起伏駆動するためのアクチュエータ９を含む駆動機構８とを備えている。
【００１５】
前記ブラケット部体６は板金加工品からなり、図４のように、下横材３０に据えられてねじで固定されるべき左右の座部６０、６０と、これらから立ち上がる側壁部６１，６１と、それらをつなぐ天壁部６２を有し、座部６０，６０の先端部には図３のように木枠下横部１０の前端が当接可能なストッパー６３が取付けられる。
前記側壁部６１，６１の先端よりの領域には、水平状に延びる長穴からなるガイド溝６１０，６１０が設けられている。ガイド溝６１０，６１０はこの例では木枠下横部１０の上面レベルとほぼ一致する高さレベルに設けられている。
【００１６】
クランプ部体７は板金加工品からなり、この例ではブラケット部体６に基端部をもって傾動可能に枢支され、伏した状態で木枠１Ｂの下横部１０を掴持するアームからなっている。クランプ部体７は前記ブラケット部体６に跨るように配置、側壁部６１，６１に外嵌可能な側壁部に脚部７１，７１を延設しており、側壁部にはこれらを結ぶ天壁部７２を有している。側壁部の前半下部には、木枠下横部１０に対する固定用部としての歯部７３が形成されている。
前記脚部７１，７１は後端部に支点用穴７１１，７１１が設けられており、これらに枢軸７４が通されブラケット部体６の側壁部後部域にねじ込まれることにより、クランプ部体７は傾動可能となっている。
そして、脚部７１，７１には前記側壁部６１，６１のガイド溝６１０，６１０に対応する位置に、傾斜状のガイド溝７１０，7１０が形成されている。このガイド溝は図示するものでは前端のレベルが木枠下横部１０の上面レベルとほぼ一致するように高く、それ以降が下がっている。
【００１７】
前記アクチュエータ９は流体圧シリンダなどでもよいが、通常は可逆回転可能なモータが用いられる。該アクチュエータはケーシング９Ａに格納され前記ブラケット部体６の側壁部６１，６１間にはめ込まれる。駆動機構８としては、前記モータの駆動力で枢軸を回動させて前記クランプ部体７を傾動させる形式でもよい。
この実施例では、大型化を回避しまた前記クランプ部体７の木枠への噛み込み固定を確実に行なうために、前記モータの回転運動を並進運動に変換して前記クランプ部体７を傾動させるようにしている。
【００１８】
詳しくは、駆動機構８は、前記脚部７１，７１と側壁部６１，６１のガイド溝７１０、７１０、６１０，６１０を貫通する開閉用シャフト８０と、これと直交状に連結され、ブラケット部体６内で後方に延在しつつ前記モータの駆動で並進する移動シャフト８１を備えている。
そしてこの並進運動を得るため、前記モータの出力軸に取付けられた駆動ギヤ８２と噛み合う大径の減速ギヤ８３を有し、該減速ギヤ８３がケーシング９Ａのボスに回転可能に保持される。前記減速ギヤ８３の中心に前記移動シャフト８１が挿通される。移動シャフト８１は後半部に雄ねじ８１０を有し、これが、減速ギヤ８３の中心部に一体に設けられるかまたはナットとして別体に作られて組み付けられた雌ねじ８４と螺合される。
したがって、減速ギヤ８３が回転すると、雌ねじ８４が一体回転するため、開閉用シャフト８０との関係で回転が阻止されている移動シャフト８１は軸方向に移動するのである。
【００１９】
次に上部ユニット５，５について説明すると、該上部ユニットは、下部ユニットと同様にクランプ部体を有していることに加えて、木枠を掴持したままクランプ部体を前後方向に移動させる機構が組み込まれている。
上部ユニット５は図５ないし図７に示されており、島３の上横材３１に固定されるブラケット部体１１と、これに保持されつつ前後移動可能なスライド部体１２と、該スライド部体１２に搭載されたクランプ部体１３と、これを作動させるためにスライド部体１２に搭載された第１のアクチュエータ１５を含む駆動機構１４と、前記スライド部体１２を作動するため前記フレーム１１に搭載された第２のアクチュエータ１８を含む駆動機構１７とを備えている。
【００２０】
前記ブラケット部体１１は板金加工品からなり、図５のように上横材３１に当接してねじで固定されるべき左右の座部１１０，１１０と、それらから屈曲して上方に立ち上がる前方が開放されたコ字状の囲壁部１１１を有し、囲壁部の左右下端には横長のガイド用壁部１１２、１１２が対設されている。
前記ガイド用壁部１１２、１１２にはそれぞれ水平状の長穴からなるガイド溝１１２０、１１２１が前後に分離して設けられている。
【００２１】
スライド部体１２は板金加工品からなり、前記ブラケット部体１１のコ字状囲壁部１１１の下半部に内装されるべき左右側壁部１２０，１２０と、これらの前半部下端をつなぐ底壁部１２１を有している。
前記左右側壁部１２０，１２０には前記ガイド用壁部１１２、１１２のガイド溝１１２０、１１２１に対応する位置に取付け軸としてのねじを取付ける雌ねじ孔が設けられている。
そして前記雌ねじ孔より下位の左右側壁部前半部分には、クランプ部体を動かすために水平状のガイド溝１２０１が対設されている。このガイド溝１２０１は木枠上横部１０’の下面とほぼ一致するレベルに設定することが好ましい。
【００２２】
クランプ部体１３はこの例ではスライド部体１２に基端部をもって傾動可能に枢支され、伏した状態で木枠１Ｂの上横部１０´を掴持するアームからなっている。クランプ部体１３は板金加工品からなっていて、前記スライド部体１２に跨るように配置されるもので、左右側壁部１２０，１２０の下半部に外嵌可能な側壁部に脚部１３１，１３１を延設しており、側壁部にはこれらを結ぶ底壁部１３２を有している。側壁部の前半上部には、木枠上横部１０´に対する固定用部としての歯部１３３が形成されている。
前記脚部１３１，１３１は後端部に支点用穴１３１１，１３１１が設けられており、これらに枢軸１３４が通されスライド部体１２の側壁部後部域にねじ込まれることにより傾動可能となっている。
そして、脚部１３１，１３１には前記可動フレーム側壁部１２０，１２０のガイド溝１２０１，１２０１に対応する位置に、傾斜状のガイド溝１３１０，１３１０が形成されている。このガイド溝は後端のレベルが高く、それ以降が下がっている。
【００２３】
前記アクチュエータ１５は流体圧シリンダなどでもよいが、通常は可逆回転可能なモータが用いられる。該アクチュエータはケーシング１５Ａに格納され前記スライド部体１２の側壁部１２０，１２０間にはめ込み固定され、下半部が図５のように下方に突出している。
駆動機構１４としては、前記モータの駆動力で枢軸を回動させて前記クランプ部体１３を動かす形式でもよいが、この実施例では、大型化を回避することと、前記クランプ部体１３の木枠の固定を確実に行なうため、前記モータの回転運動を並進運動に変換して前記クランプ部体１３を傾動させるようにしている。
【００２４】
詳しくは、駆動機構１４は、前記脚部とスライド部体側壁部の両ガイド溝１３１０、１３１０、１２０１，１２０１を貫通する開閉用シャフト１４０と、これと直交状に連結され、スライド部体１２内で後方に延在しつつ前記モータの駆動で並進する移動シャフト１４１を備えている。
そしてこの並進運動を得るため、前記モータの出力軸に取付けられた駆動ギヤ１４２と噛み合う減速ギヤ１４３を有し、該減速ギヤ１４３がケーシング１５Ａのボスに回転可能に保持される。前記減速ギヤ１４３の中心に前記移動シャフト１４１が挿通されるが、移動シャフト１４１は後半部に雄ねじ１４１０を有し、これが、減速ギヤ１４３の中心部に一体に設けられるかまたはナットとして別体に作られて組み付けられた雌ねじ１４４と螺合される。
したがって、減速ギヤ１４４が回転すると、雌ねじ１４４が一体回転するため、開閉用シャフト１４０との関係で回転が阻止されている移動シャフト１４１は軸方向に移動するのである。
【００２５】
駆動機構は前後送り部体１６を有している。前後送り部体１６は前記ブラケット部体１１の左右壁部近傍に臨む間隔のレバー１６０，１６０とこれらをつなぐ連結部１６１を有して全体がアーム状をなし、レバー１６０，１６０の上端がブラケット部体１１の左右壁部に枢軸１６３，１６３をもって枢支される。
前記レバー１６０，１６０の下端部には縦長穴状のガイド溝１６０１，１６０１が設けられており、これに前後移動用シャフトの一部をなすべきねじ形式のガイド軸１６５がそれぞれ通されている。ガイド軸はこの例では、ブラケット部体１１のガイド溝１１２０を通してスライド部体１２の側壁部の孔内に至っている。
【００２６】
前後送り部体１６を駆動するためのアクチュエータ１８は、流体圧シリンダなどでもよいが、通常は可逆回転可能なモータが用いられる。該アクチュエータはケーシング１８Ａに格納され前記ブラケット部体１１の囲壁部１１１の上半部にはめ込み固定される。
駆動形式としては、前記モータの駆動力で枢軸１６３を回動させて前後送り部体１６を傾動させる形式でもよいが、この実施例では、大型化を回避してコンパクト化を図るため、前記モータの回転運動を並進運動に変換して前記前後送り部体１６を傾動させるようにしている。
【００２７】
詳しくは、駆動機構１７は、前記前後送り部体１６に加え、ブラケット部体１１内で後方に延在しつつ前記モータの駆動で並進する移動シャフト１７１と、該シャフトに直交状に取付けられた前後用シャフト１７０を備えており、前記前後用シャフト１７０の両端に前記ガイド軸１６５、１６５が螺合される。これらにより、前後送り部体１６と移動シャフト１７１とスライド部体１２とが一体に動くように連結される。
前記移動シャフト１７１の並進運動を得るため、前記モータの出力軸に取付けられた駆動ギヤ１７２と噛み合う減速ギヤ１７３を有し、該減速ギヤ１７３がケーシング１８Ａのボスに回転可能に保持される。前記減速ギヤ１７３の中心に前記移動シャフト１７１が挿通されるが、移動シャフト１７１は後半部に雄ねじ１７１０を有し、これが、減速ギヤ１７３の中心部に一体に設けられるかまたはナットとして別体に作られて組み付けられた雌ねじ１７４と螺合される。
【００２８】
したがって、減速ギヤ１７３が回転すると、雌ねじ１７４が一体回転するため、前後用シャフト１7０との関係で回転が阻止されている移動シャフト１７１は軸方向に移動するのである。前記前後送り部体１６の連結部１６１には移動シャフト１７１の雄ねじ１７１０の貫通を許す通孔が設けられ、雄ねじ１７１０の端にはＥリングなどからなるストッパーが取付けられる。
なお、スライド部体１２が水平度を保って前後移動し得るようにするため、ねじ形態のガイド軸１６６，１６６がブラケット部体１１の前側のガイド溝１１２１，１１２１に通され、スライド部体１２の両側に固定されている。
【００２９】
前記アクチュエータ９、１５，１８の発停と駆動時間は操作盤によって直接的に行なってもよいが、より簡易迅速にパチンコ台の取付け・取り外しを行なうため、リモートコントロール形式を採用することが好ましい。
実施例では、図８と図９のように、前記各アクチュエータ９、１５，１８の駆動部を配線ケーブル１９によりコントローラ２に接続しており、コントローラ２は各取付け装置に配されていて、電源ラインでつながっている。コントローラ２にはアクチュエータ９、１５，１８の正方向・逆方向の駆動と停止を含む制御回路が組み込まれているとともに、光電式などの信号受信部６０が設けられている。遠隔操作器２Ａには、上部、下部の各ユニットの木枠固定、木枠取り外し、上部ユニットの前移動、後移動などの選択ボタンが設けられており、信号受信部２０が遠隔操作器７から信号を受信したときに制御回路がオンとなり、各アクチュエータ９、１５，１８が所定のプログラムで作動するようになっている。
【００３０】
第１実施例の本発明装置の使用法と作用を説明すると、パチンコ台１の取付けに当たっては、本体１Ａと木枠１Ｂを組付けたまま、島３の所定位置に配する。このときには下部ユニット４，４と上部ユニット５，５の各クランプ部体７、１３は図３（ａ）、図５（ａ）のように起立側に傾動された状態にある。
木枠１Ｂを島３の矩形状の枠に押し込めば、木枠１Ｂの下横材１０が下部ユニット４，４のストッパー６３，６３に当接して位置決めされる。
【００３１】
この状態で遠隔操作器２Ａのボタンを押して木枠固定の信号をコントローラ２に送れば、制御回路を介して下部ユニット４，４のアクチュエータ９，９に正転駆動信号が送られる。アクチュエータが駆動し駆動ギヤ８２を介して減速ギヤ３と雌ねじ８４が回転すると、これに螺通している移動シャフト８１が並進する。
それにより、直交状にある開閉用シャフト８０がブラケット部体６のガイド溝６１０とクランプ部体７のガイド溝７１０に沿って前方に平行移動する。クランプ部体７のガイド溝７１０は傾斜状であるため、前記開閉シャフト８０の移動によりクランプ部体７は枢軸７４を支点として伏せ側に傾動され、それにより、クランプ部体７の歯部７３が木枠下横材１０に食い込むので、木枠１が島側に自動的に固定される。これが図３（ｂ）の状態である。
【００３２】
下横材１０の固定を行なった後あるいはこれの固定と同時期に遠隔操作器２Ａ７のボタンを押して木枠固定の信号をコントローラ２に送れば、制御回路を介して上部ユニット５，５の第１アクチュエータ１５に正転駆動信号が送られて駆動される。このときには、第２アクチュエータ１８は停止状態に置かれ、スライド部体１２は後退限にある。
駆動ギヤ１４２を介して減速ギヤ１４３と雌ねじ１４４が回転するため、これに螺通している移動シャフト１４０が並進する。それにより、直交状にある開閉用シャフト１４０がスライド部体１２のガイド溝１２０１とクランプ部体１３のガイド溝１３１０に沿って前方に平行移動する。
クランプ部体１３のガイド溝１３１０は傾斜状であるため、前記開閉シャフト１４０の移動によりクランプ部体１３は枢軸１３４を支点として伏せ側に傾動され、それにより、クランプ部体１３の歯部１３３が木枠上横材１０´に食い込むので、木枠１が島側に自動的に固定される。これが図５（ｂ）の状態である。
以上で木枠１Ｂは全くねじ類の回動操作を要さず、自動的に島側の枠に強固に固定される。
【００３３】
ついで、パチンコ台１の傾斜を調整するには、傾斜計で測定しつつ遠隔操作器２Ａのボタンを押して木枠前移動または後移動の信号をコントローラ２に送るもので、前移動の場合には、制御回路を介して上部ユニット５，５の第２のアクチュエータ１８に正転信号が送られる。
これにより駆動ギヤ１７２を介して減速ギヤ１７３と雌ねじ１７４が回転するため、これに螺通している移動シャフト１７１が並進する。それにより、移動シャフトと直交している前後用シャフト１７０とこれと連結しているガイド軸１６５が前進を開始し、前後送り部体１６が枢軸１６３を支点として垂直に近づくように回動する。これにより、前後用シャフト１７０とつながっているスライド部体１２はクランプ部体１３を保持したままブラケット部体１１に対して前方に移動するので、図６（ａ）のように木枠１Ｂが前方に押し出される。木枠の下方は下部ユニット４，４で固定されているため、パチンコ台１は前方に傾斜気味になる。
【００３４】
後方に倒れるように角度を調整するときには、後移動信号で第２のアクチュエータ１８が逆転駆動され、前述と逆の一連の動作が行なわれ、移動シャフト１７１が後退し、前後送り部体１６が枢軸１６３を支点として傾斜するように動き、スライド部体１２はブラケット部体１１に対して後方に移動し、図６（ｂ）のように木枠１Ｂが後方に引き込まれる。
したがって、遠隔操作器２Ａのボタンを操作するだけで、無段階にパチンコ台１の角度を自動調整することができる。このため、パチンコ台の台数が多くても、労力も技量も要さず、能率的に固定と角度調整を行なえる。そして、パチンコ台１を取り外すときには、遠隔操作器２Ａとコントローラ２で下部ユニット４，４と上部ユニット５，５のアクチュエータ９、１５を逆転駆動させれば、クランプ部体７が図３（ｂ）の状態から（ａ）に、クランプ部体１３が図５（ｂ）の状態から（ａ）に変化して固持を開放するので、簡単に島から取り外すことができる。また、パチンコ台の種類を問わないので汎用性も高いものとすることができる。
【実施例２】
【００３５】
図１０ないし図２０は本発明によるパチンコ台取付け装置の第２実施例を示している。
図１０は全体を示しており、１はパチンコ台で、本体1Ａとこれを囲み一部がヒンジ機構で本体１Ａと結ばれた矩形状の木枠１Ｂである。３は島と称する裏側の枠状構造物で、通常、パチンコ台１を１５〜３０台程度取付けるようになっている。
４，４はパチンコ台取付け用の下部ユニットであり、島３の下横材３０の左右に複数個配置されている。５，５はパチンコ台取付け用の上部ユニットであり、島３の上横材３１の左右に複数個配置されている。２は島３の上部に設けた開閉自在な開口部位に配置されたコントローラ（コントロールボックス）、２Ａはこのコントローラ２に信号を送る遠隔操作器（リモコン）である。
【００３６】
下部ユニット４と上部ユニット５の構成は第１実施例と基本的同じであり、そして、上部ユニットの近傍の島側に、前記アクチュエータと電気的に接続して駆動を制御するためのコントローラを有し、コントローラは遠隔操作器からの遠隔操作信号受信部を有していることも第１実施例と同様である。
【００３７】
前記下部ユニット４，４は、図１１ないし図１３に示されており、島３の下横材３０に固定されるブラケット部体６と、これに基端部をもって枢支され、倒れ状態で木枠１Ｂの下横部１０を掴持するアームからなるクランプ部体７と、前記クランプ部体７を起伏駆動するためのアクチュエータ９を含む駆動機構８とを備えている。
前記ブラケット部体６は下横材３０に載置されてねじで固定されるべき左右の座部６０、６０を有するベース６ａと、ベース６ａの側壁部分に嵌る側壁部６１，６１と、それらをつなぐ天壁部６２を有して下部開口ボックス状をなす本体６ｂと、本体の後部を閉じるカバー６ｃとを備えている。
前記側壁部６１，６１の先端よりの領域には、水平状に延びる長穴からなるガイド溝６１０が対設されている。
【００３８】
クランプ部体７はアーム状の板金加工品からなり、前記ブラケット部体６の本体６ｂに跨るように配置されるもので、側壁部６１，６１に外嵌可能な側壁部の後方に脚部７１，７１を延設しており、側壁部にはこれらを結ぶ天壁部７２を有している。側壁部の前半下部には、木枠下横部１０に対して噛み込みないし打ち込まれるべき鋭い歯部７３が形成されている。
前記脚部７１，７１は後端部に支点用穴７１１，７１１が設けられており、これらに枢軸７４が通されブラケット部体６の側壁部後部域にねじ込まれることにより、クランプ部体７は傾動可能となっている。
そして、脚部７１，７１には前記側壁部６１，６１のガイド溝６１０，６１０に対応する位置に、傾斜状のガイド溝７１０，７１０が形成されている。ガイド溝７１０は先端側が後端側よりも高くなっている。
【００３９】
前記アクチュエータ９は流体圧シリンダなどでもよいが、通常は可逆回転可能なモータが用いられる。該アクチュエータはケーシングとしての前記本体６ｂに格納される。
駆動機構８としては、前記モータの駆動力で枢軸を回動させてクランプ部体７を動かす形式でもよいが、この実施例では、大型化を回避しまた前記クランプ部体７の木枠への噛み込み固定を確実に行なうために、前記モータの回転運動を並進運動に変換してクランプ部体７を作動させるようにしている。
【００４０】
詳しくは、駆動機構８は、前記脚部７１，７１と側壁部６１，６１のガイド溝７１０、７１０、６１０，６１０を貫通する開閉用シャフト８０と、これと直交状に連結され、フレーム６内で後方に延在しつつ前記モータの駆動で並進する移動シャフト８１を備えている。
そしてこの並進運動を得るため、前記モータの出力軸に取付けられた駆動ギヤ８２と噛み合う複数の減速ギヤを有し、大径の最終減速ギヤ８３がケーシング９Ａのボスに回転可能に保持される。図１３のように、前記減速ギヤ８３の中心に前記移動シャフト８１が挿通される。移動シャフト８１は後半部に雄ねじ８１０を有し、これが、減速ギヤ８３の中心部に一体に設けられるかまたはナットとして別体に作られて組み付けられた雌ねじ８４と螺合される。
したがって、減速ギヤ８３が回転すると、雌ねじ８４が一体回転するため、開閉用シャフト８０との関係で回転が阻止されている移動シャフト８１は並進運動する。
【００４１】
次に上部ユニット５，５について説明すると、該上部ユニットは、図１５ないし図１８に示されており、島３の上横材３１に据付け固定されるフレーム状のブラケット部体１１と、これに保持されつつ前後移動可能なスライド部体１２と、該スライド部体１２に基端部が枢支されたアームからなるクランプ部体１３と、該クランプ部体１３を駆動するためにスライド部体１２に搭載された第１のアクチュエータ１５を含む駆動機構１４と、スライド部体１２を作動するため前記ブラケット部体１１に搭載された第２のアクチュエータ１８を含む駆動機構１７とを備えている。
【００４２】
前記ブラケット部体１１は板金加工品からなり、図１５のように上横材３１に当接してねじで固定されるべき左右の座部１１０，１１０を有するベース１１ａと、上方に立ち上がり前方が開放された側壁部１１１、１１１を有して全体が前部開口ボックス状をなす本体１１ｂと、本体の上面に取付けられるカバー１１ｃとを備えており、本体１１ｂの側壁部１１１，１１１にはそれぞれ縦長のガイド溝１１２０が設けられている。ベース１１ａはスライド部体１２の前進限を規定するストッパーとして機能する。
【００４３】
スライド部体１２は板金加工品からなり、左右側壁部１２０，１２０と、これらの下端をつなぐ底壁部１２１を有した矩形船形状をなした本体１２ａと、これの背面を塞ぐカバー１２ｂとを備えており、前記ブラケット部体１１の本体１１ｂの直下に前後移動可能に配されている。前記左右側壁部１２０，１２０には後述する前後送り部体１６の下端と連結するための雌ねじ孔が設けられている。前記雌ねじ孔より下位の左右側壁部前半部分には、クランプ部体を作動するために水平状のガイド溝１２０１が対設されている。
【００４４】
クランプ部体１３はアーム状の板金加工品からなっていて、前記スライド部体１２に跨るように配置されるもので、左右側壁部１２０，１２０の下半部に外嵌可能な側壁部に脚部１３１，１３１を延設しており、側壁部にはこれらを結ぶ底壁部１３２を有している。側壁部の前半上部には、固定用部として、木枠上横部１０´に対する噛み込みまたは打ち込まれる鋭い歯部１３３が形成されている。
前記脚部１３１，１３１は後端部に支点用穴１３１１，１３１１が設けられており、これらにねじ形式の枢軸１３４が通されスライド部体１２の側壁部後部域にねじ込まれることにより、クランプ部体１３は傾動可能となっている。
そして、脚部１３１，１３１には前記スライド部体側壁部１２０，１２０のガイド溝１２０１，１２０１に対応する位置に、傾斜状のガイド溝１３１０，１３１０が形成されている。
【００４５】
前記アクチュエータ１５は流体圧シリンダなどでもよいが、通常は可逆回転可能なモータが用いられる。該アクチュエータはアッセンブリーとして前記スライド部体１２の側壁部１２０，１２０間の空室に内装固定されている。
駆動形式としては、前記モータの駆動力で枢軸を回動させて前記クランプ部体１３を傾動させる形式でもよいが、この実施例では、大型化を回避することと、前記クランプ部体１３による木枠への固定を確実に行なうため、前記モータの回転運動を並進運動に変換して可動クランプブ体１３を動かすようにしている。
【００４６】
詳しくは、駆動機構１４は、前記脚部とスライド部体側壁部の両ガイド溝１３１０、１３１０、１２０１，１２０１を貫通する開閉用シャフト１４０と、これと直交状に連結され、スライド部体１２内で後方に延在しつつ前記モータの駆動で並進する移動シャフト１４１を備えている。
そしてこの並進運動を得るため、図１８のように、前記モータの出力軸に取付けられた駆動ギヤ１４２と噛み合う減速ギヤ１４３を有しており、前記減速ギヤ１４３の中心には前記移動シャフト１４１が挿通されるが、移動シャフト１４１は後半部に雄ねじ１４１０を有し、これが、減速ギヤ１４３の中心部に一体に設けられるかまたはナットとして別体に作られて組み付けられた雌ねじ１４４と螺合される。
したがって、減速ギヤ１４３が回転すると、雌ねじ１４４が一体回転するため、開閉用シャフト１４０との関係で回転が阻止されている移動シャフト１４１は軸方向に移動するのである。
【００４７】
スライド部体１２の駆動機構は前後送り部体１６を含んでおり、前記ブラケット部体１１の左右壁部近傍に臨む間隔のレバー１６０，１６０とこれらをつなぐ連結部１６１を有して全体としてアーム状をなし、ブラケット部体１１の外側に配置された状態で、レバー１６０，１６０の上端がブラケット部体１１の左右壁部にねじ形態の枢軸１６３，１６３をもって枢支される。
前記レバー１６０，１６０の下端部には通孔が設けられており、これを通してねじ１６８がスライド部体１２の側壁部中間部位に設けた雌ねじ孔にねじ込まれることで前後送り部体１６とスライド部体１２が連結され、スライド部体１２はブラケット部体１１に吊持される。
前記レバー１６０，１６０の中間領域には、前記本体１１ｂの側壁部１１１，１１１に設けた縦長のガイド溝１１２０に一部が合致可能な角度からなる傾斜状のガイド溝１６０１，１６０１が設けられている。
【００４８】
アクチュエータ１８は、流体圧シリンダなどでもよいが、通常は可逆回転可能なモータが用いられる。該モータは第１実施例と異なり、出力軸が上方に伸びるように縦にケーシング１８Ａに登載され、アッセンブリーとして前記ブラケット部体１１に内装保持される。
駆動形式としては、前記モータの駆動力で枢軸１６３を直接回動させて前後送り部体１６を動かす形式でもよいが、この実施例では、大型化を回避してコンパクト化を図るため、前記モータの回転運動を並進運動に変換して前記前後送り部体１６を傾動させるようにしている。
【００４９】
詳しくは、駆動機構１７は、前記前後送り部体１６に加えて、ブラケット部体１１内で上方に延在しつつ前記モータの駆動で並進する移動シャフト１７１と、該シャフトの下半部に直交状に取付けられた前後用シャフト１７０を備えており、該前後用シャフト１７０は、図１７と図１８のように、両端部がブラケット部体１１の両側のガイド溝１１２０、１１２０と前後送り部体１６の傾斜状のガイド溝１６０１，１６０１を貫通するように組立てられている。したがって、移動シャフト１７１と前後用シャフト１７０の上下方向移動により前後送り部体１６が傾動し、それによりスライド部体１２が前後に動かされることになる。
【００５０】
前記移動シャフト１７１の並進運動を得るため、前記モータの出力軸に取付けられた駆動ギヤ１７２と噛み合う複数の減速ギヤを有し、最終段の大径の減速ギヤ１７３がケーシング１８Ａのボスに回転可能に保持される。前記減速ギヤ１７３の中心に前記移動シャフト１７１が挿通されるが、移動シャフト１７１は後半部に雄ねじ１７１０を有し、これが、減速ギヤ１７３の中心部に一体に設けられるかまたはナットとして別体に作られて組み付けられた雌ねじ１７４と螺合される。
したがって、減速ギヤ１７３が回転すると、雌ねじ１７４が一体回転するため、前後用シャフト１7０との関係で回転が阻止されている移動シャフト１７１は軸方向に移動するのである。
【００５１】
簡易迅速にパチンコ台の取付け・取り外しを行なうため、リモートコントロール形式を採用することが好ましい。この手段として第１実施例と同じものを採用している。図８と図９を援用して説明すると、前記各アクチュエータ９、１５，１８の駆動部を配線ケーブル１９によりコントローラ２に接続しており、コントローラ２は各取付け装置に配されていて、電源ラインでつながっている。コントローラ２にはアクチュエータ９、１５，１８の正方向・逆方向の駆動と停止を含む制御回路が組み込まれているとともに、光電式などの信号受信部６０が設けられている。遠隔操作器２Ａには、上部、下部の各ユニットの木枠固定、木枠取り外し、上部ユニットの前移動、後移動などの選択ボタンが設けられており、信号受信部２０が遠隔操作器７から信号を受信したときに制御回路がオンとなり、各アクチュエータ９、１５，１８が所定のプログラムで作動するようになっている。
【００５２】
第２実施例の作用を説明すると、パチンコ台１の取付けに当たっては、本体１Ａと木枠１Ｂを組み付けられたまま、島３の所定位置に配する。このときには下部ユニット４，４と上部ユニット５，５の各クランプ部体７、１３は図１４（ａ）、図１９（ａ）のように起立側に傾動された状態にある。
木枠１Ｂを島３の矩形状の枠に押し込み、この状態で遠隔操作器２Ａのボタンを押して木枠固定の信号をコントローラ２に送れば、制御回路を介して下部ユニット４，４のアクチュエータ９，９に正転駆動信号が送られる。アクチュエータが駆動すると、駆動ギヤ８２を介して減速ギヤ３と雌ねじ８４が回転するため、これに螺通している移動シャフト８１が並進する。
それにより、直交状にある開閉シャフト８０がブラケット部体６のガイド溝６１０とクランプ部体７のガイド溝７１０に沿って前方に平行移動する。クランプ部体７のガイド溝７１０は傾斜状であるため、前記開閉シャフト８０の移動によりクランプ部体７は枢軸７４を支点として伏せ側に傾動され、それにより、クランプ部体７の歯部７３が木枠下横材１０に打ち込まれるように食い込むので、木枠１が島側に自動的に固定される。これが図１４（ｂ）の状態である。
【００５３】
下横材１０の固定を行なった後あるいはこれの固定と同時期に遠隔操作器２Ａ７のボタンを押して木枠固定の信号をコントローラ２に送れば、制御回路を介して上部ユニット５，５の第１アクチュエータ１５に正転駆動信号が送られて駆動される。このときには、第２アクチュエータ１８は停止状態に置かれ、スライド部体１２は後退限にある。
駆動ギヤ１４２を介して減速ギヤ１４３と雌ねじ１４４が回転するため、これに螺通している移動シャフト１４０が並進する。それにより、直交状にある開閉シャフト１４０がスライド部体１２のガイド溝１２０１とクランプ部体１３のガイド溝１３１０に沿って前方に平行移動する。
クランプ部体１３のガイド溝１３１０は傾斜状であるため、前記開閉シャフト１４０の移動によりクランプ部体１３は枢軸１３４を支点として伏せ側に傾動され、それにより、クランプ部体１３の歯部１３３が木枠上横材１０´に打ち込まれるので、木枠１が島側に自動的に固定される。これが図１９（ｂ）の状態である。
以上で全くねじ類の回動操作を要さずに木枠１Ｂが自動的に島側の枠に強固に固定される。
【００５４】
ついで、パチンコ台１の傾斜を調整するには、傾斜計で測定しつつ遠隔操作器２Ａのボタンを押して木枠前移動または後移動の信号をコントローラ２に送るもので、前移動の場合には、制御回路を介して上部ユニット５，５の第２のアクチュエータ１８に正転信号が送られる。
いま、パチンコ台１が図２０（ａ）のような状態にあった場合、アクチュエータ１８の駆動により駆動ギヤ１７２が回転し、複数の中間減速ギヤを介して減速ギヤ１７３と雌ねじ１７４が回転するため、これに螺通している移動シャフト１７１が上方に移動する。これにより前後用シャフト１７０がガイド溝１１２０、１１２０に沿って上方に移動し、前後送り部体１６の傾斜状ガイド溝壁に押圧力が働くので、前後送り部体１６が枢軸１６３を支点として垂直に近づくように回動する。これにより、前後用シャフト１７０の下端部とつながっているスライド部体１２はクランプ部体１３を保持したまま前方に押し出されるので、図２０（ａ）のように木枠１Ｂが前方に押し出される。木枠の下方は下部ユニット４，４で固定されているため、パチンコ台１は前方に傾斜気味になる。
【００５５】
後方に倒れるように角度を調整するときには、後移動信号で第２のアクチュエータ１８が逆転駆動され、前述と逆の一連の動作が行なわれ、移動シャフト１７１が下方に移動し、前後送り部体１６が枢軸１６３を支点として傾斜するように動き、スライド部体１２はブラケット部体１１に対して後方に移動し、図２０（ａ）のように木枠１Ｂが後方に引き込まれる。
したがって、遠隔操作器２Ａのボタンを操作するだけで、無段階にパチンコ台１の角度を自動調整することができる。このため、パチンコ台の台数が多くても、労力も技量も要さず、能率的に固定と角度調整を行なえる。そして、パチンコ台１を取り外すときには、遠隔操作器２Ａとコントローラ２で下部ユニット４，４と上部ユニット５，５のアクチュエータ９、１５を逆転駆動させれば、クランプ部体７が図１４（ｂ）の状態から（ａ）の状態に、クランプ部体１３が図１９（ｂ）の状態から（ａ）の状態に変化するので、簡単に島から取り外すことができる。また、パチンコ台の種類を問わないので汎用性も高いものとすることができる。
この第２実施例は、上部ユニット５における第１のアクチュエータ１５がスライド部体１２の下方に突出しないため、コンパクト化することができる利点がある。
【００５６】
なお、クランプ部体７，１３は傾動して木枠に食い込むタイプに限定されず、木枠とほぼ直角状に対峙し、木枠に固定要素をねじ込みあるいは打ち込むタイプなどであってもよい。
【図面の簡単な説明】
【００５７】
【図１】本発明によるパチンコ台取付け装置の第１実施例を使用状態で示す全体斜視図である。
【図２】図１の詳細図である。
【図３】（ａ）は下部ユニットの固定解除状態を示す側面図、（ｂ）は固定状態を示す側面図である。
【図４】下部ユニットの分解斜視図である。
【図５】（ａ）は上部ユニットの固定解除状態を示す側面図、（ｂ）は固定状態を示す側面図である。
【図６】（ａ）は上部ユニットによる前移動状態を示す側面図、（ｂ）は上部ユニットによる後移動状態を示す側面図である。
【図７】上部ユニットの分解斜視図である。
【図８】本発明の制御系の斜視図である。
【図９】制御系のブロック図である。
【図１０】第２実施例の全体斜視図である。
【図１１】下部ユニットの斜視図である。
【図１２】下部ユニットの分解斜視図である。
【図１３】下部ユニットの縦断側面図である。
【図１４】（ａ）は下部ユニットを固定解除状態で示す側面図、（ｂ）は固定状態で示す側面図である。
【図１５】（ａ）は上部ユニットの分解斜視図、（ｂ）は組立て状態の斜視図である。
【図１６】上部ユニットの固定用構造の分解斜視図である。
【図１７】上部ユニットの前後移動用構造の分解斜視図である。
【図１８】上部ユニットの縦断側面図である。
【図１９】（ａ）は上部ユニットの固定解除状態を示す側面図、（ｂ）は固定状態を示す側面図である。
【図２０】（ａ）は上部ユニットによる前移動状態を示す側面図、（ｂ）は上部ユニットによる後移動状態を示す側面図である。
【符号の説明】
【００５８】
１  パチンコ台
1Ａ  本体
1Ｂ  木枠
２  コントローラ
３  島
４  下部ユニット
５  上部ユニット
６  ブラケット部体
７  クランプ部体
８  駆動機構
９  アクチュエータ
１０、１０´  横材
１１  ブラケット部体
１２  スライド部体
１３  クランプ部体
１４  駆動機構
１５  第１のアクチュエータ
１６  前後送り部体
１７  駆動機構
１８  第２のアクチュエータ
８０  開閉用シャフト
８１  移動シャフト
１４０  開閉用シャフト
１４１  移動シャフト
１７１  移動シャフト
６１０，７１０  ガイド溝
１１２０，１１２１，１２０１  ガイド溝
【図１】
2006192159.tif 000003
【図２】
2006192159.tif 000004
【図３】
2006192159.tif 000005
【図４】
2006192159.tif 000006
【図５】
2006192159.tif 000007
【図６】
2006192159.tif 000008
【図７】
2006192159.tif 000009
【図８】
2006192159.tif 000010
【図９】
2006192159.tif 000011
【図１０】
2006192159.tif 000012
【図１１】
2006192159.tif 000013
【図１２】
2006192159.tif 000014
【図１３】
2006192159.tif 000015
【図１４】
2006192159.tif 000016
【図１５】
2006192159.tif 000017
【図１６】
2006192159.tif 000018
【図１７】
2006192159.tif 000019
【図１８】
2006192159.tif 000020
【図１９】
2006192159.tif 000021
【図２０】
2006192159.tif 000022